(57)【要約】【課題】  二次元バーコードリーダは、携帯電話に多く実装され、情報アクセスや会員登録等の際に多く用いられている。一方、店舗等においては一次元バーコードリーダが広く普及し、業務用機器としての信頼性と操作性が確立されている。このような環境下において、店舗等が発行する会員カードについて更に二次元バーコードの利点を享受するには、店舗等は二次元バーコードリーダを用意する必要があり、費用や設置場所、操作において重複した負担を強いられる。【解決手段】  一次元バーコードと二次元バーコードとをクレジットカードサイズのカード上で組み合わせることで、これら課題を解決する会員カードを提供する。【選択図】図１
0003109304.tif 000002
【実用新案登録請求の範囲】
【請求項１】
会員ナンバーを付した一次元バーコードと、
会員登録用のメールアドレス、又は会員ナンバーごとに割り当てた登録コード、若しくは引数を付したＵＲＬ、あるいは引数を付さないＵＲＬ、をデータ化した二次元バーコードとを、
クレジットカード大の一枚のカード上に併記したことを特徴とする会員カード。
【考案の詳細な説明】
【技術分野】
【０００１】  本発明は、店舗等に多数導入され業務用機器として定着した一次元バーコードと、携帯電話に搭載され個人が自ら操作することのできる二次元バーコードとを併記した会員カードに関する。
【背景技術】
【０００２】  飲食店や販売店において、主に集客や顧客の固定化を目的に会員カードを発行している。会員カード発行の際、会員となる者は申込用紙に必要事項を記入し、店舗側はその記入事項を電子データ化し、会員カードに一次元バーコードを付すことで会員を識別、管理するのが一般的である。
【考案の開示】
【考案が解決しようとする課題】
【０００３】  二次元バーコードリーダは、携帯電話に多く実装され、個人が自ら操作することが可能であり、二次元バーコードは情報アクセス、会員登録等の際に多く用いられている。また、一次元バーコードを付した会員カードは、既に多くの店舗等に採用されており、一次元バーコードリーダは業務用機器としての信頼性と操作性が確立され、広く普及している。このような環境下では、店舗等が二次元バーコードを付した会員カードを採用する場合には、既存の一次元バーコードリーダとは別個に二次元バーコードリーダを用意する必要があり、費用や設置場所、操作において重複した負担を強いられることとなる。【０００４】  また、二次元バーコードは、会員情報データベースにアクセスするためのＵＲＬを表示することが可能であり、会員は、リライト形式の会員カードでなく紙のカードであっても自分の携帯電話を使って会員カード上の二次元バーコードを読み取ることにより、会員情報登録やポイント確認を行うことができることから、店舗においてはコストセーブの面で好ましい。しかし、通常、会員カードからは、会員は記録し蓄積される自らの個人情報にアクセスすることができない、という欠点があり、電子メールとの関係性が希薄で、会員カード形式の会員制度を採用し、個人情報を登録用紙に記入する形での運用を行うと、電子メールアドレスを登録してもらえないことが多い。店舗等が運営するホームページにおいて別個登録させることで会員自らが個人情報にアクセス可能とする場合もあるが、この場合も改めて個人情報を入力し登録する煩わしさがある。本考案は、一次元バーコードと二次元バーコードの利点をクレジットカードサイズのカード上で組み合わせることで、これら課題を解決する会員カードを提供する。
【課題を解決するための手段】
【０００５】  会員は携帯電話に搭載された二次元バーコードリーダによって、店舗等は既存の一次元バーコードリーダによって情報の管理等を行うべく、クレジットカード大の会員カードに一次元バーコードと二次元バーコードとを併記する。
【考案の効果】
【０００６】  会員は、会員登録から個人情報の管理、会員特典の確認や店舗情報の入手などを会員カードを媒介として、携帯電話によって行うことができる。【０００７】  また、それら効果を受けるために前提となる個人認証を二次元バーコード化し、クレジットカード大のカードに表示することで、携帯性が向上する。【０００８】  店舗等は、従来の一次元バーコードによる会員向けサービス及び管理の経済性や操作性を損なうことなく、会員登録と会員の電子メールアドレス取得を容易化し、会員ナンバーと会員の電子メールアドレスとを関連付けて管理することができる。【０００９】  店舗は、二次元バーコードリーダの追加投資が不要となる。【００１０】  店舗は、リライトカードより安価な紙カードで、会員自身がポイント確認可能なカードを提供できる。【００１１】  会員カード形式でありながら、携帯電話、携帯メールとの関係性を印象付けることができ、携帯メールアドレスが取得しやすくなる。
【考案を実施するための最良の形態】
【００１２】  クレジットカード大の会員カードに会員を識別する為に割り振る会員ナンバーを一次元バーコード表示する。加えて、会員登録用のメールアドレス、又は会員ナンバーごとに割り当てた登録コード、若しくは引数を付したＵＲＬ、あるいは引数を付さないＵＲＬ、をデータ化し二次元バーコード表示する。併せて、会員ナンバー、会員登録用のメールアドレス、会員登録用のＵＲＬを表示する。更に、会員ナンバーごとに割り当てた登録コードを表示する。【００１３】  店頭等において配布する当該会員カード１に、会員登録用の電子メールアドレス等が二次元バーコード表示される場合、会員となる者は携帯電話に搭載される二次元バーコードリーダにより当該二次元バーコード３を読み込み、会員登録用の電子メールアドレス宛に登録コード４を入力して送信し、当該登録コード４が認証されると会員登録が完了する。その際、店舗等では受信した電子メールの送信元電子メールアドレスを取得することで、会員ナンバーと会員の電子メールアドレスとを関連付けて管理することが可能となる。この場合、会員カード発行の際に付される二次元バーコードは会員ごとに差異を設ける必要がなく一種類で足る。【００１４】  尚、当該電子メールアドレスに加え会員ナンバー等をデータ化し二次元バーコードに埋め込む場合には、会員ごとに異なる二次元バーコードが付される。【００１５】  店頭等において配布する当該会員カード１に、引数を付さないＵＲＬが二次元バーコード表示される場合、会員となる者は携帯電話に搭載される二次元バーコードリーダにより当該二次元バーコード３を読み込み、ＵＲＬにアクセスし、登録コード４を入力して、当該登録コード４が認証されると会員登録が完了する。この場合、会員カード発行の際に付される二次元バーコードは会員ごとに差異を設ける必要がなく一種類で足る。【００１６】  店頭等において配布する当該会員カード１に、引数を付したＵＲＬが二次元バーコード表示される場合、会員となる者は携帯電話に搭載される二次元バーコードリーダにより当該二次元バーコード３を読み込み、引数により特定されたＵＲＬにアクセスし会員登録する。会員となった後は、店舗等においては従来通り一次元バーコードにより会員を識別、管理を行い、会員においては二次元バーコードを読み込み、ＵＲＬにアクセスすることで店舗等が提供するポイントサービスの内容確認や個人情報の変更を自らが随意に行う。【００１７】  店頭等において配布する当該会員カード１の使用に際し、会員となる者の携帯電話に二次元バーコードリーダ機能が搭載されていない場合、会員カード１に表示される電子メールアドレス宛に会員ナンバー２及び登録コード４を入力して送信し、両者が符合すると会員登録が完了する。その際、店舗等では受信した電子メールの送信元電子メールアドレスを取得することで、会員ナンバーと会員の電子メールアドレスとを関連付けて管理することが可能となる。
【図面の簡単な説明】
【００１８】
【図１】本考案の実施例を示す全体図。
【符号の説明】
【００１９】  １会員カード
２一次元バーコード
３二次元バーコード
４登録コード
【図１】
0003109304.tif 000003
【手続補正書】
【提出日】平成16年10月27日(2004.10.27)
【手続補正１】
【補正対象書類名】実用新案登録請求の範囲
【補正対象項目名】全文
【補正方法】変更
【補正の内容】
【実用新案登録請求の範囲】
【請求項１】
会員ナンバーを格納した一次元バーコードを付した会員カードと、
会員登録用のメールアドレス、又は会員ナンバーごとに割り当てた登録コード、若しくは引数を付したＵＲＬ、あるいは引数を付さないＵＲＬ、をデータ化し格納した二次元バーコードを付した媒体とを、
クレジットカード大の一枚のカードに併合したことを特徴とする会員カード。
【手続補正書】
【提出日】平成17年2月7日(2005.2.7)
【手続補正１】
【補正対象書類名】実用新案登録請求の範囲
【補正対象項目名】全文
【補正方法】変更
【補正の内容】
【実用新案登録請求の範囲】
【請求項１】
クレジットカード大の会員カードにおいて、会員登録用のメールアドレス、又は会員ナンバーごとに割り当てた登録コード、若しくは引数を付したURL、あるいは引数を付さないURL、をデータ化し格納した二次元コードの表示欄の一辺を前記会員カードの長手方向と平行に配置し、会員ナンバーを格納した一次元バーコードの表示欄を前記二次元コードの表示欄の一辺と平行に設けることを特徴とする会員カード。